(57)【要約】【課題】サービスの変更によって提供が受けられなくなったサービスを要求することに対する利用者および管理センタの負荷をなくす。【解決手段】ホストコンピュータ１０３が、携帯端末１０９に対して提供すべきサービスの種別を記憶し、要求されたサービスの種別を記憶されているサービスの種別と照合し、一致しないと判断されたサービス提供を拒否することを示す非提供情報を送信する。また、携帯端末１０９は、要求したサービスに対する非提供情報を受信し、提供が拒否されたサービスの種別を記憶する。そして、記憶したサービスの提供の要求禁止を設定する。【選択図】      図１
2004186817.tif 000002
【特許請求の範囲】
【請求項１】
携帯型の通信端末装置と、前記通信端末装置の位置を検索すると共に、該検索によって得られた前記通信端末装置の位置情報に基づいて前記通信端末装置にサービスを提供するサービス提供装置と、を含むサービス提供システムであって、
前記サービス提供装置は、前記通信端末装置に対して提供すべきサービスの種別を記憶するサービス種別記憶手段と、
前記通信端末装置によって要求されたサービスの種別を前記サービス種別記憶手段に記憶されているサービスの種別と照合し、要求されたサービスが前記サービス種別記憶手段に記憶されているサービスと一致するか否かを判断するサービス一致判断手段と、
前記サービス一致判断手段によって前記サービス種別記憶手段に記憶されているサービスと一致しないと判断されたサービスの要求に対し、該サービスの提供を拒否することを示す非提供情報を前記通信端末装置に対して送信する非提供情報送信手段と、を備え、
前記通信端末装置は、前記サービス提供装置に対してサービスの提供を要求するサービス要求手段と、
前記サービス要求手段によって要求されたサービスに対する非提供情報を受信する非提供情報受信手段と、
前記非提供情報受信手段が受信した非提供情報が示す提供が拒否されたサービスの種別を記憶する非提供サービス記憶手段と、
前記サービス要求手段に対し、前記非提供サービス記憶手段が記憶したサービスの提供の要求禁止を設定するサービス要求禁止手段と、
を備えることを特徴とするサービス提供システム。
【請求項２】
前記非提供情報送信手段は、前記サービス種別記憶手段に記憶されているサービスと一致しないと判断されたサービスの要求に対し、要求されたサービスに対する非提供情報を送信すると共に、該サービス以外に存在する前記サービス提供装置から提供されるサービスのうち前記サービス種別記憶手段に記憶されているサービスと一致しないサービスに対する非提供情報を送信することを特徴とする請求項１に記載のサービス提供システム。
【請求項３】
前記通信端末装置は、前記サービス要求禁止手段によって設定されたサービスの提供の要求禁止を解除するサービス要求禁止解除手段と、前記サービス要求禁止解除手段によって要求禁止が解除されたサービスの種別を前記非提供サービス記憶手段から削除するサービス情報削除手段と、をさらに備えることを特徴とする請求項１または２に記載のサービス提供システム。
【請求項４】
前記サービス一致判断手段が前記通信端末装置によって要求されたサービスの種別と前記サービス種別記憶手段に記憶されているサービスとが一致したと判断した場合、サービスの要求が該サービスにおいて最初の要求か否か判断し、最初の要求であった場合に当該サービスを受けるために必要なデータを前記通信端末装置に送信するデータ送信手段をさらに備えることを特徴とする請求項１〜３のいずれか一つに記載のサービス提供システム。
【請求項５】
携帯型の通信端末装置の位置を検索し、該検索によって取得した位置情報に基づいて前記通信端末装置にサービスを提供するサービス提供装置に対してサービスの提供を要求するサービス要求手段と、
前記サービス要求手段によって要求されたサービスの提供を拒否することを示す非提供情報を受信する非提供情報受信手段と、
前記受信手段が受信した非提供情報が示す提供が拒否されたサービスの種別を記憶する非提供サービス記憶手段と、
前記サービス要求手段に対し、前記非提供サービス記憶手段が記憶したサービスの提供の要求禁止を設定するサービス要求禁止手段と、
を備えることを特徴とする携帯型通信端末装置。
【請求項６】
前記サービス要求禁止手段によって設定されたサービスの提供の要求禁止を解除するサービス要求禁止解除手段と、前記サービス要求禁止解除手段によって要求禁止が解除されたサービスの種別を前記非提供サービス記憶手段から削除するサービス情報削除手段と、をさらに備えることを特徴とする請求項５に記載の携帯型通信端末装置。
【請求項７】
携帯型の通信端末装置と、前記通信端末装置の位置を検索するサービス提供装置との間で前記通信端末装置にサービスを提供するサービス提供方法であって、
前記通信端末装置から前記サービス提供装置に対してサービスの提供を要求するサービス要求ステップと、
前記サービス要求ステップにおいて要求されたサービスの種別を前記サービス提供装置に記憶されているサービスの種別と照合し、要求されたサービスが記憶されているサービスと一致するか否かを判断するサービス一致判断ステップと、
前記サービス一致判断ステップにおいて前記サービス提供装置に記憶されているサービスと一致しないと判断されたサービスの要求に対し、該サービスの提供を拒否することを示す非提供情報を前記通信端末装置に送信する非提供情報送信ステップと、
前記通信端末装置において、前記非提供情報が示す提供が拒否されたサービスの提供の要求禁止を設定するサービス要求禁止ステップと、
を含むことを特徴とするサービス提供方法。
【発明の詳細な説明】
【０００１】
【発明の属する技術分野】
この発明は、携帯型の通信端末装置に対してサービスを提供するサービス提供システム、サービス提供方法および携帯型通信端末装置に係り、特に通信端末装置の位置を検索し、取得された位置に関する情報に基づいて通信端末装置にサービスを提供するサービス提供システム、サービス提供方法および携帯型通信端末装置に関する。
【０００２】
【従来の技術】
現在、携帯型の情報端末装置（以下、携帯端末と記す）を対象に持たせ、携帯端末装置に対して位置情報の検索をかけて対象の位置を知る位置情報検索システムがある。さらに、近年では、このような位置検索システムにおいて携帯端末にサービスを提供することもなされている。位置情報検索システムは、多くの場合老人や子供を対象とし、対象の保護や監督、警備を目的としている。このため、位置情報検索システムにおいて提供されるサービスとしては、例えば、対象が非常事態の発生を警備の管理センタに通報し、管理センタが通報のなされた位置情報を取得して対処要員を向かわせるといったものがある。
【０００３】
管理センタが提供するサービスは、管理センタと顧客との契約に基づいて設定される。そして、契約完了後、サービスの提供を受けるために携帯端末装置の設定データを更新することにより、契約したサービスの提供を受けられるようになる。設定データの更新は、管理センタから新たな設定データを受信して行うのが一般的である。
【０００４】
また、位置検索システムに関連して提供されるサービスの種別は、今後さらに増えることが予測される。利用者は、複数の種別のサービスから提供を希望するサービスを選択し、選択したサービスの提供に必要なデータだけを携帯端末に設定して利用すれば、新規サービスの追加にも柔軟に対応できる。その場合、提供を希望するサービスを変更（追加）するには、利用者はその都度管理センタからサービスの提供に必要なデータを取得し、携帯端末に設定する必要がある。
【０００５】
【発明が解決しようとする課題】
しかしながら、位置検索システムで使用される携帯端末は、一般的に常時電源がオンされているものではなく、携帯電話などにくらべてデータがダウンロードできない時間が長い。このため、管理センタでは、携帯端末に対するデータダウンロードの成功率が低下し、リトライにかかる作業の負荷が大きくなるという不具合がある。一方、利用者は、契約を変更したにも関わらず希望するサービスの変更が携帯端末に速やかに反映されないという不具合がある。特に警備を目的とする位置検索システムでは、サービスの変更が携帯端末に速やかに反映されずに必要なときサービスを受けられないことが大きな課題となる。
【０００６】
ここで、インターネット接続可能な携帯電話等のように、オンラインで契約手続きを行うのと同時に携帯電話等に利用可能なサービスが反映されるようにすることも考えられるが、位置検索システムに使用される携帯端末は、小型化および省電力化の必要性から機能が厳選された専用の端末装置となっており、オンライン手続きを行えるような操作手段等を設けることは困難である。そのため、サービスの契約手続きを行う手段と、サービスの提供を受けるために使用する装置が別々になり、契約手続きは行えたがデータのダウンロードはできないという状況が発生する場合がある。また、位置検索システムでは、通報を受けたときの出動態勢を整えておく必要があるなど、申し込みと同時にサービスの提供を開始できないものもあり、申し込み後、管理センタから新たな設定データを受信しなければならない場合もある。
【０００７】
また、提供を受けていたサービスを変更（削除）した場合、利用者がサービスの契約を解約したことを忘れて管理センタにサービスを要求する場合もある。このような場合、管理センタではホストコンピュータなどが要求されたサービスと契約内容とを自動的に照合し、解除されたサービスについては提供を拒否する。このような処理は、利用者にとっては無駄な通信にかかる費用を負担しなければならないという不具合になる。一方、管理センタにとっても、解約された契約のサービス提供の要求に対処する負荷がかかるという不具合を生じる。
【０００８】
この発明は上記に鑑みてなされたものであり、利用者が必要とするタイミングでサービスの変更内容を速やかに携帯端末に反映させること、また、サービスの変更によって提供が受けられなくなったサービスを要求することに対する利用者および管理センタの負荷をなくすことができるサービス提供システム、サービス提供方法および携帯型通信端末装置を提供することを目的とする。
【０００９】
【課題を解決するための手段】
上記目的を達成するため、請求項１に記載の発明にかかるサービス提供システムは、携帯型の通信端末装置と、前記通信端末装置の位置を検索すると共に、該検索によって得られた前記通信端末装置の位置情報に基づいて前記通信端末装置にサービスを提供するサービス提供装置と、を含むサービス提供システムであって、前記サービス提供装置は、前記通信端末装置に対して提供すべきサービスの種別を記憶するサービス種別記憶手段と、前記通信端末装置によって要求されたサービスの種別を前記サービス種別記憶手段に記憶されているサービスの種別と照合し、要求されたサービスが前記サービス種別記憶手段に記憶されているサービスと一致するか否かを判断するサービス一致判断手段と、前記サービス一致判断手段によって前記サービス種別記憶手段に記憶されているサービスと一致しないと判断されたサービスの要求に対し、該サービスの提供を拒否することを示す非提供情報を前記通信端末装置に対して送信する非提供情報送信手段と、を備え、前記通信端末装置は、前記サービス提供装置に対してサービスの提供を要求するサービス要求手段と、前記サービス要求手段によって要求されたサービスに対する非提供情報を受信する非提供情報受信手段と、前記非提供情報受信手段が受信した非提供情報が示す提供が拒否されたサービスの種別を記憶する非提供サービス記憶手段と、前記サービス要求手段に対し、前記非提供サービス記憶手段が記憶したサービスの提供の要求禁止を設定するサービス要求禁止手段と、を備えることを特徴とする。
【００１０】
この請求項１に記載の発明によれば、サービス提供装置が通信端末装置に対して提供すべきサービスの種別を記憶する共に、通信端末装置によって要求されたサービスの種別を記憶されているサービスの種別と照合し、要求されたサービスが記憶されているサービスと一致するか否かを判断する。このため、サービス提供装置側で要求されたサービスが提供すべきサービスであるか否かを判断することができる。そして、記憶されているサービスと一致しないと判断されたサービスの要求に対し、このサービスの提供を拒否することを示す非提供情報を送信する。一方、通信端末装置側は、要求したサービスに対する非提供情報が示す提供が拒否されたサービスの提供の要求禁止を設定するので、提供されないサービスの要求（無駄な要求）をサービス提供装置にすることがなくなり、無駄な要求のために通信費がかかることをなくすことができる。また、サービス提供装置にあっては、無駄な要求に対応することによってかかる負荷をなくすことができる。
【００１１】
請求項２に記載の発明にかかるサービス提供システムは、前記非提供情報送信手段は、前記サービス種別記憶手段に記憶されているサービスと一致しないと判断されたサービスの要求に対し、要求されたサービスに対する非提供情報を送信すると共に、該サービス以外に存在する前記サービス提供装置から提供されるサービスのうち前記サービス種別記憶手段に記憶されているサービスと一致しないサービスに対する非提供情報を送信することを特徴とする。
【００１２】
この請求項２に記載の発明によれば、要求されたサービスの他、このサービス以外の提供すべきでないサービスがある場合には、それらについても提供を拒否するので、提供すべきでないサービスが最初に要求されたタイミングで全ての提供すべきでないサービスの要求の禁止を通信端末装置に設定することができる。
【００１３】
請求項３に記載の発明にかかるサービス提供システムは、前記通信端末装置が、前記サービス要求禁止手段によって設定されたサービスの提供の要求禁止を解除するサービス要求禁止解除手段と、前記サービス要求禁止解除手段によって要求禁止が解除されたサービスの種別を前記非提供サービス記憶手段から削除するサービス情報削除手段と、をさらに備えることを特徴とする。
【００１４】
この請求項３に記載の発明によれば、サービスの提供の要求禁止を解除することができるので、提供を希望するサービスを追加した場合にも、通信端末装置からサービス提供装置に追加されたサービスの提供を要求することができる。
【００１５】
請求項４に記載の発明にかかるサービス提供システムは、前記サービス一致判断手段が前記通信端末装置によって要求されたサービスの種別と前記サービス種別記憶手段に記憶されているサービスとが一致したと判断した場合、サービスの要求が該サービスにおいて最初の要求か否か判断し、最初の要求であった場合に、当該サービスを受けるために必要なデータを前記通信端末装置に送信するデータ送信手段をさらに備えることを特徴とする。
【００１６】
この請求項４に記載の発明によれば、サービスの要求がこのサービスにおいて最初の要求か否か判断し、最初の要求であった場合に、必要に応じて、サービスを受けるために必要なデータを通信端末装置に送信するので、確実にダウンロードでき、しかもサービスが必要とされる時点で確実にサービスを受けるために必要なデータを送信することができる。また、サービス内容が修正されたりバージョンアップされたりした場合においても、この方式を応用することにより、新たな設定データをダウンロードして通信端末装置に登録し、サービスの提供を受けることができる。
【００１７】
請求項５に記載の発明にかかる携帯型通信端末装置は、携帯型の通信端末装置の位置を検索し、該検索によって取得した位置情報に基づいて前記通信端末装置にサービスを提供するサービス提供装置に対してサービスの提供を要求するサービス要求手段と、前記サービス要求手段によって要求されたサービスの提供を拒否することを示す非提供情報を受信する非提供情報受信手段と、前記非提供情報受信手段が受信した非提供情報が示す提供が拒否されたサービスの種別を記憶する非提供サービス記憶手段と、前記サービス要求手段に対し、前記非提供サービス記憶手段が記憶したサービスの提供の要求禁止を設定するサービス要求禁止手段と、を備えることを特徴とする。
【００１８】
この請求項５に記載の発明によれば、要求したサービスに対する非提供情報が示す提供が拒否されたサービスの提供の要求禁止を設定するので、提供されないサービスの要求（無駄な要求）をサービス提供装置にすることがなくなり、無駄な要求のために通信費がかかることをなくすことができる。また、サービス提供装置にあっては、無駄な要求に対応することによってかかる負荷をなくすことができる。
【００１９】
請求項６に記載の発明にかかる携帯型通信端末装置は、前記サービス要求禁止手段によって設定されたサービスの提供の要求禁止を解除するサービス要求禁止解除手段と、前記サービス要求禁止解除手段によって要求禁止が解除されたサービスの種別を前記非提供サービス記憶手段から削除するサービス情報削除手段と、をさらに備えることを特徴とする。
【００２０】
この請求項６に記載の発明によれば、サービスの提供の要求禁止を解除することができるので、提供を希望するサービスを追加した場合にも、通信端末装置からサービス提供装置に追加されたサービスの提供を要求することができる。
【００２１】
請求項７に記載の発明にかかるサービス提供方法は、携帯型の通信端末装置と、前記通信端末装置の位置を検索するサービス提供装置との間で前記通信端末装置にサービスを提供するサービス提供方法であって、前記通信端末装置から前記サービス提供装置に対してサービスの提供を要求するサービス要求ステップと、前記サービス要求ステップにおいて要求されたサービスの種別を前記サービス提供装置に記憶されているサービスの種別と照合し、要求されたサービスが記憶されているサービスと一致するか否かを判断するサービス一致判断ステップと、前記サービス一致判断ステップにおいて前記サービス提供装置に記憶されているサービスと一致しないと判断されたサービスの要求に対し、該サービスの提供を拒否することを示す非提供情報を前記通信端末装置に送信する非提供情報送信ステップと、前記通信端末装置において、前記非提供情報が示す提供が拒否されたサービスの提供の要求禁止を設定するサービス要求禁止ステップと、を含むことを特徴とする。
【００２２】
この請求項７の発明によれば、通信端末装置によって要求されたサービスの種別をサービス提供装置において記憶されているサービスの種別と照合し、要求されたサービスが記憶されているサービスと一致するか否かを判断する。このため、サービス提供装置側で要求されたサービスが提供すべきサービスであるか否かを判断することができる。そして、記憶されているサービスと一致しないと判断されたサービスの要求に対し、このサービスの提供を拒否することを示す非提供情報を送信する。一方、通信端末装置側は、要求したサービスに対する非提供情報が示す提供が拒否されたサービスの提供の要求禁止を設定するので、提供されないサービスの要求（無駄な要求）をサービス提供装置にすることがなくなり、無駄な要求のために通信費がかかることをなくすことができる。また、サービス提供装置にあっては、無駄な要求に対応することによってかかる負荷をなくすことができる。
【００２３】
【発明の実施の形態】
以下に添付図面を参照して、この発明にかかるサービス提供システム、サービス提供方法および携帯型通信端末装置の好適な実施の形態を詳細に説明する。図１は、この発明の一実施形態のサービス提供システムを説明するための図である。図示したサービス提供システムは、携帯型の通信端末装置である携帯端末１０９と、携帯端末１０９の位置を検索すると共に、この検索によって得られた携帯端末１０９の位置を示す情報（位置情報）に基づいて携帯端末１０９にサービスを提供するサービス提供装置である管理センタ１０１のホストコンピュータ１０３と、を含むサービス提供システムである。
【００２４】
上記した携帯端末１０９は、ＧＰＳ衛星１０７から自身の位置情報を取得することができる。また、携帯端末１０９とホストコンピュータ１０３とは例えばＤｏＰａ（Ｒ）などのパケット交換網１０５とデータを送受信し、パケット交換網１０５とホストコンピュータ１０３とは専用回線１１１によって接続されている。
【００２５】
なお、本実施の形態のサービス提供システムは、位置検索システムにおいてサービスを提供するものである。このため、図示したシステムは、位置検索システムとして通常の動作をするためにホストコンピュータ１０３が検索者１１３のパソコンや携帯電話といった情報端末装置と接続している。位置検索システムとして動作する場合、検索者１１３がホストコンピュータ１０３に対して携帯端末１０９の位置の検索を要求する。ホストコンピュータ１０３は、要求に応じて携帯端末１０９の位置情報を取得し、検索者１１３に提供する。
【００２６】
なお、図１に示した位置検索のシステムはＧＰＳを使って位置情報を取得するものに限定されるものでなく、屋外であっても充分携帯端末１０９の位置を特定できる構成であれば何を使用してもよい。また、携帯端末１０９に対する送受信はパケット交換網１０５を使う構成に限定されるものでなく、インターネットなどを使っても実現できる。
【００２７】
図２は、図１に示したホストコンピュータ１０３の機能ブロック図である。本実施の形態の情報提供システムは、通常の位置検索とは別に携帯端末１０９に対してサービスを提供することができる。本実施の形態のサービス提供システムでは、例えばＡサービス、Ｂサービス、Ｃサービスの３つのサービスを提供可能なものとする。なお、３つのサービスとしては、例えば、位置情報検索（携帯端末からホストコンピュータ１０３に対し、自身の位置情報を検索者１１３に提供することを要求する）、管理センタ１０１に対する警報および現在位置情報の送信（非常通報）、定型文を検索者１１３に送信するメールサービスなどが考えられる。
【００２８】
また、位置情報検索、非常通報、メールサービスのサービスの変更は、例えば、携帯端末１０９を子供に持たせ、必要に応じて位置情報を取得することに利用していた利用者が、子供の成長に合わせて非常通報、メールサービスを追加することによってなされることがある。あるいは、近隣地域で物騒な事件が発生していることへの対策として、非常通報を追加することによってなされることがある。また、子供が保護者に対して「今から帰る」といった定型の文書を送信するためにメールサービスの契約をしていた利用者が、子供が成長したために携帯電話を与えたことによってメールサービスの契約を解除することが考えられる。さらに、携帯端末１０９を携帯する対象が変更された場合にもサービスの契約の変更が行われることがある。
【００２９】
ホストコンピュータ１０３は、携帯端末１０９に対して提供すべきサービスの種別を記憶するサービス種別記憶部２０１と、携帯端末１０９によって要求されたサービスの種別をサービス種別記憶部２０１に記憶されているサービスの種別と照合し、要求されたサービスがサービス種別記憶部２０１に記憶されているサービスと一致するか否かを判断するサービス一致判断手段である照合部２０３と、照合部２０３によってサービス種別記憶部２０１に記憶されているサービスと一致しないと判断されたサービスの要求に対し、このサービスの提供を拒否することを示す非提供情報を送信する送信部２０５とを備えている。
【００３０】
本実施の形態のサービス提供システムは、前記したように、Ａサービス２０１ａ、Ｂサービス２０１ｂ、Ｃサービス２０１ｃの３つのサービスを提供することができる。図示したサービス種別記憶部２０１は、３つのサービスのうち、Ａサービス２０１ａだけを携帯端末１０９に提供すべきサービスとして記憶している。なお、本実施の形態では、サービス種別記憶部２０１が、３つのサービスの各々にパラメータとして“提供”、“非提供”を設定することによって提供すべきサービスの種別を記憶するものとした。
【００３１】
図３は、図１に示した携帯端末１０９のブロック図である。携帯端末１０９は、ＧＰＳ衛星１０７から位置情報を取得するためのＧＰＳアンテナ３０１およびＧＰＳ部３０３、スイッチ（ＳＷ）３０７、ＬＥＤ（Ｌｉｇｈｔ  Ｅｍｉｔｔｉｎｇ  Ｄｉｏｄｅ）３０９、パケット交換網１０５を介してホストコンピュータ１０３とデータを送受信する送受信部３１１およびアンテナ３１３、バッテリ３１５、以上の構成を制御する制御部３０５を備えている。
【００３２】
制御部３０５は、管理センタ１０１に対してサービスの提供を要求するサービス要求部３２１、要求されたサービスに対する非提供情報を送受信部３１１およびアンテナ３１３が受信した場合、提供が拒否されたサービスの種別を記憶する非提供サービス記憶部３１７、サービス要求部３２１に対し、非提供サービス記憶部３１７が記憶したサービスの提供の要求禁止を設定するサービス要求禁止手段であるＳＷ設定部３１９を備えている。
【００３３】
サービス要求部３２１、非提供サービス記憶部３１７、ＳＷ設定部３１９は、いずれも制御部３０５を動作させるためのアプリケーションである。制御部３０５は、サービス要求部３２１によってＳＷ３０７の操作に基づいてホストコンピュータ１０３に送信される送信データを図示しないＲＯＭなどから読み出し、送受信部３１１を制御してアンテナ３１３からホストコンピュータ１０３に送信する。
【００３４】
ただし、本実施の形態では、図示した非提供サービス記憶部３１７は、提供が拒否されるサービスとして、Ｂサービス２０１ｂ、Ｃサービス２０１ｃを記憶している。このため、サービス要求部３２１は、利用者がＢサービス２０１ｂ、Ｃサービス２０１ｃを要求する操作をした場合には上記した送信データの送信処理を行わない。そして、ＬＥＤ３０９を点灯させるなどの方法によって要求したサービスが提供されないことを利用者に知らせる。
【００３５】
なお、本実施の形態では、非提供サービス記憶部３１７も、３つのサービスをすべて記憶し、各サービスにパラメータとして“提供”、“非提供”を設定することによって提供が拒否されたサービスの種別を記憶するものとした。
【００３６】
上記したように処理することにより、利用者は誤って契約をしていないサービスを要求した場合にも管理センタ１０１と通信することがなく、無駄な通信費がかかることがない。また、管理センタ１０１にとっても無駄なサービスの要求に対処することがなくなり、負荷が軽減される。
【００３７】
前述の説明は、無駄な（契約されていない）サービス要求を管理センタ１０１へ送信しないようにする動作についてのものであるが、次に、以上述べたサービス提供システムにおいて、提供を希望するサービスを追加または解約した場合の携帯端末１０９の設定について説明する。
【００３８】
サービス項目を追加した場合は、当該サービスを利用するため、携帯端末１０９において、ＳＷ設定部３１９によってサービス要求部３２１に設定されたサービス提供の要求禁止を解除する。このとき、ＳＷ３０７において、サービス提供の要求禁止を解除するための操作を行う。ＳＷ３０７による操作は、例えば、ＳＷ３０７をボタンで構成し、予め定められたボタンの押下時間やタイミングで操作することによって行う。この操作を行うことにより、非提供サービス記憶部に“非提供”と設定されたサービスを“提供”に切り換え、サービスの要求を行えるようにする。
【００３９】
ホストコンピュータ１０３の照合部２０３は、携帯端末１０９によって要求されたサービスの種別とサービス種別記憶部２０１に“提供”として記憶されているサービスとが一致した場合、管理センタ１０１にサービスの要求があったことを伝える。この場合、携帯端末１０９の要求が位置情報検索であれば、ＧＰＳ衛星１０７によって取得された携帯端末１０９の位置情報を検索者１１３に提供する。また、非常通報であれば、警報を受信したことが管理センタ１０１において位置情報と共に表示される。さらに、メールサービスであれば、予め決められた定型文が位置情報と共に管理センタ１０１から検索者１１３に送信される。
【００４０】
さらに、前記携帯端末１０９によって要求されたサービスが、このサービスにおいて最初の要求か否か判断し、最初の要求であった場合に、必要に応じて、このサービスを受けるために必要な設定データを携帯端末１０９に送信部２０５から送信するようにしてもよい。例えば、新規に追加されたサービスや、内容がバージョンアップされたサービス等に対する要求がなされたとき、それらのサービスを利用できるようにするために必要な情報を携帯端末に送信する。
【００４１】
一方、サービス種別記憶部２０１に“非提供”として記憶されているサービスの要求が前記携帯端末１０９によりなされた場合、非提供情報であることが携帯端末１０９に送信され、提供が拒否されたサービスの種別を記憶する非提供サービス記憶部３１７に“非提供”サービスとして設定される。
【００４２】
以上述べた実施の形態によれば、利用者はサービスを受けようとするときに携帯端末１０９を操作してホストコンピュータ１０３にアクセスし、提供されるサービスの有無やサービス内容の変更などがあれば、アクセスした際にその内容が携帯端末１０９に反映されるので、確実に変更内容が更新できる。したがって、本実施の形態は、利用者が必要とするときにサービスの変更を容易かつ速やかに携帯端末に反映させることができる。また、管理センタ１０１から携帯端末に対するダウンロードのためのアクセスを繰り返し行う必要をなくして管理センタ１０１の負荷を軽減することができる。
【００４３】
また、本実施の形態では、前記したように、サービス種別記憶部２０１に“提供”として記憶されていないサービスの要求があった場合にホストコンピュータ１０３から非提供情報が送信される。このため、携帯端末１０９では、いったんサービスの提供の要求禁止を解除した場合にも、次に提供が受けられないサービスの提供を要求したタイミングでこのサービスの要求を禁止することができる。
【００４４】
なお、本実施の形態では、提供されないサービスが複数ある場合、ホストコンピュータ１０３において、サービス種別記憶部２０１に“提供”として記憶されているサービスと一致しないと判断されたサービスの要求に対し、要求されたサービスと共に、このサービス以外のサービス種別記憶部２０１に“提供”として記憶されているサービスと一致しないサービスの提供を拒否することを示す非提供情報を送信部２０５から送信してもよい。このようにした場合、ホストコンピュータ１０３は、複数ある提供されないサービスのうちいずれかが要求されたタイミングで携帯端末１０９に提供しないすべてのサービスの要求を禁止することができる。
【００４５】
次に、以上述べたサービス提供システムに適用されるサービス提供方法を説明する。図４は、サービス提供方法の全体の処理を示すフローチャートである。利用者は、携帯端末１０９のＳＷ３０７を操作して管理センタ１０１にサービスの提供要求処理をする（ステップＳ５０１）。この際、携帯端末１０９では、ＳＷ設定部３１９が、提供が可能なサービスについてパラメータを“提供”に設定してある。サービス要求部３２１は、要求されたサービスのパラメータが“提供”であるか否か判断する（ステップＳ５０２）。
【００４６】
ステップＳ５０２の判断の結果、要求されたサービスのパラメータが“提供”でなかった場合（ステップＳ５０２：Ｎｏ）、ＬＥＤ３０９を点灯する、あるいはブザー音を発生するといった方法で利用者に要求したサービスが提供できないこと（ＮＧ）を通知する（ステップＳ５０３）。一方、要求したサービスのパラメータが“提供”であった場合（ステップＳ５０２：Ｙｅｓ）、送受信部３１１から管理センタ１０１に対してサービスの提供を要求する信号を送信する（ステップＳ５０４）。
【００４７】
管理センタ１０１では、ホストコンピュータ１０３が携帯端末１０９が送信した信号を受信する。そして、受信した信号を送信した携帯端末を識別情報などにより特定し、要求されたサービスがサービス種別記憶部２０１において“提供”に設定されているか否か判断する（ステップＳ５０５）。判断の結果、パラメータが“提供”に設定されていた場合（ステップＳ５０５：Ｙｅｓ）、要求されたサービスを提供するよう管理センタ１０１において動作する（ステップＳ５０６）。また、“提供”に設定されていない場合（ステップＳ５０５：Ｎｏ）、非提供情報を携帯端末に返信し、サービスの要求がＮＧであったことを示す（ステップＳ５０７）。
【００４８】
携帯端末１０９では、ＳＷ設定部３１９が非提供情報に基づいて要求したサービスの再度の要求を禁止するよう、サービス要求部３２１に設定する。この設定により、非提供サービス記憶部３１７に記憶されたサービスのうち、要求が禁止されたサービスのパラメータが“非提供”に変更される。
【００４９】
図５は、提供を要求するサービスを変更する場合に携帯端末１０９において行う処理を説明するためのフローチャートである。利用者は、ＳＷ３０７を操作して非提供サービス記憶部３１７に記憶されたサービスのパラメータをリセットする。ＳＷ設定部３１９は、リセットがなされたか否か判断し（ステップＳ６０１）、リセットがなされたと判断した場合には（ステップＳ６０１：Ｙｅｓ）、全てのサービスのパラメータを“提供”に設定する（ステップＳ６０２）。
【００５０】
【発明の効果】
以上説明したように、請求項１に記載の発明は、通信端末装置側は、提供されないサービスの要求（無駄な要求）をサービス提供装置にすることがなくなり、無駄な要求のために通信費がかかることをなくすことができる。また、サービス提供装置にあっては、無駄な要求に対応することによってかかる負荷をなくすことができるので、サービスの変更によって提供が受けられなくなったサービスを要求することに対する利用者および管理センタの負荷をなくすことができるサービス提供システムを提供することができるという効果を奏する。
【００５１】
請求項２に記載の発明は、提供すべきでないサービスが最初に要求されたタイミングですべての提供すべきでないサービスの要求の禁止を通信端末装置に設定することができるので、利用者が必要とするタイミングでサービスの変更内容を速やかに携帯端末に反映させることができるという効果を奏する。
【００５２】
請求項３に記載の発明は、提供を希望するサービスを追加する場合にも通信端末装置からサービス提供装置に追加されるサービスを要求し、自身の設定を更新することができるので、利用者が必要とするタイミングでサービスの変更内容を速やかに携帯端末に反映させることができるという効果を奏する。
【００５３】
請求項４に記載の発明は、確実にダウンロードでき、しかもサービスが必要とされる時点で確実にサービスを提供することができるタイミングでサービスを受けるために必要なデータを送信することができるので、利用者が必要とするタイミングでサービスの変更内容を速やかに携帯端末に反映させることができるという効果を奏する。
【００５４】
請求項５に記載の発明は、無駄な要求のために通信費がかかることをなくすことができる。また、サービス提供装置に対しては、無駄な要求に対応することによってかかる負荷をなくすことができるので、サービスの変更によって提供が受けられなくなったサービスを要求することに対する利用者および管理センタの負荷をなくすことができる通信端末装置を提供することができるという効果を奏する。
【００５５】
請求項６に記載の発明は、提供を希望するサービスを追加する場合にも通信端末装置からサービス提供装置に追加されるサービスを要求し、自身の設定を更新することができるので、利用者が必要とするタイミングでサービスの変更内容を速やかに携帯端末に反映させることができるという効果を奏する。
【００５６】
請求項７に記載の発明は、通信端末装置側は、提供されないサービスの要求（無駄な要求）をサービス提供装置にすることがなくなり、無駄な要求のために通信費がかかることをなくすことができる。また、サービス提供装置にあっては、無駄な要求に対応することによってかかる負荷をなくすことができるので、サービスの変更によって提供が受けられなくなったサービスを要求することに対する利用者および管理センタの負荷をなくすことができるサービス提供方法を提供することができるという効果を奏する。
【図面の簡単な説明】
【図１】本発明の一実施形態のサービス提供システムを説明するための図である。
【図２】図１に示したホストコンピュータの機能ブロック図である。
【図３】図１に示した携帯端末のブロック図である。
【図４】サービス提供方法の全体の処理を示すフローチャートである。
【図５】本発明の一実施の形態において、提供を要求するサービスを変更する場合に携帯端末において行う処理を説明するためのフローチャートである。
【符号の説明】
１０１  管理センタ
１０３  ホストコンピュータ
１０５  パケット交換網
１０７  ＧＰＳ衛星
１０９  携帯端末
１１１  専用回線
１１３  検索者
２０１ａ，２０１ｂ，２０１ｃ  サービス
２０１  サービス種別記憶部
２０３  照合部
２０５  送信部
３０１  ＧＰＳアンテナ
３０３  ＧＰＳ部
３０５  制御部
３０７  ＳＷ
３１１  送受信部
３１３  アンテナ
３１５  バッテリ
３１７  非提供サービス記憶部
３１９  ＳＷ設定部
３２１  サービス要求部
【図１】
2004186817.tif 000003
【図２】
2004186817.tif 000004
【図３】
2004186817.tif 000005
【図４】
2004186817.tif 000006
【図５】
2004186817.tif 000007